(57)【特許請求の範囲】
【請求項１】
表示画面を有する表示部と、
少なくとも第１及び第２の文字種の文字が各々に割り当てられた複数の操作キーを有する操作部と、
前記複数の操作キーのうち一の操作キーが操作されると、前記一の操作キーに割り当てられた前記第１の文字種の文字を第１画面として表示させ、当該一の操作キーに割り当てられた第２の文字種の文字を前記表示画面のうちの前記第１画面と異なる第２画面として表示させる制御部と、を備え、
前記制御部は、
前記第１の文字種の文字を利用する機能に関する第１の操作が行われた場合に、前記第２画面を消去して、前記表示画面に前記第１の文字種に関する新たな画面を表示し、
前記第２の文字種の文字を利用する機能に関する第２の操作が行われると、前記第１画面を消去して、表示位置を維持したまま前記第２画面の表示を継続させる、携帯電子機器。
【請求項２】
前記制御部は、前記第１の文字種の文字を前記表示画面の上側に左寄せで表示させ、かつ前記第２の文字種の文字を前記表示画面の下側に右寄せで表示させる、請求項１に記載の携帯電子機器。
【請求項３】
前記制御部は、前記表示画面を左右に分割し、分割した左側に前記第１画面を表示させ、分割した右側に前記第２画面を表示させる請求項１又は２に記載の携帯電子機器。
【請求項４】
前記第１の文字種は、かな文字であり、
前記第１の操作は、前記かな文字を確定する操作を含む、請求項１から３のいずれか一項に記載の携帯電子機器。
【請求項５】
前記第２の文字種は、数字であり、
前記第２の操作は、前記数字を利用して発呼を行うための操作を含む、請求項１から４のいずれか一項に記載の携帯電子機器。
【請求項６】
前記操作部は、発呼を行うための発呼キーを有する請求項５に記載の携帯電子機器。
【請求項７】
前記制御部は、前記表示画面において前記第１画面及び第２画面のうちの一方の画面の表示を継続し、他方の画面の表示を消去した後に、前記一方の画面に表示されている文字の一部を削除する操作が前記操作部により行われた場合に、前記第１画面及び第２画面の両方を前記表示画面に表示させた状態に復帰させる請求項１から６のいずれか一項に記載の携帯電子機器。
【請求項８】
表示画面を有する表示部と、少なくとも第１及び第２の文字種の文字が各々に割り当てられた複数の操作キーを有する操作部とを有する携帯電子機器における文字入力方法であって、
前記操作部の複数の操作キーのうち一の操作キーが操作されると、前記一の操作キーに割り当てられた第１の文字種の文字を第１画面として表示させ、当該一の操作キーに割り当てられた第２の文字種の文字を表示部の表示画面のうちの前記第１画面と異なる第２画面として表示させるステップと、
前記第１の文字種の文字を利用する機能に関する第１の操作が行われた場合に、前記第２画面を消去して、前記表示画面に前記第１の文字種に関する新たな画面を表示するステップと、
前記第２の文字種の文字を利用する機能に関する第２の操作が行われると、前記第１画面を消去して、表示位置を維持したまま前記第２画面の表示を継続させるステップと、を備える文字入力方法。
【発明の詳細な説明】
【技術分野】
【０００１】
本発明は、表示部を有する携帯電子機器及びその文字入力方法に関する。
【背景技術】
【０００２】
従来、表示部と操作部とを有する電子機器は、表示部に待ち受け画面が表示されている状態で操作部を操作すると、操作部に割り当てられている文字種の異なる文字を入力して、表示部のそれぞれ異なる領域に表示する。そして、電子機器は、入力された文字が表示部に表示された状態で複数のアプリケーションのメニューの中から所望のアプリケーションを選択することにより、表示された文字を入力した状態で選択したアプリケーションを起動させていた（例えば、特許文献１及び２参照）。
【先行技術文献】
【特許文献】
【０００３】
【特許文献１】特開２００７−２００２４３号公報
【特許文献２】特開２００９−０３２２０９号公報
【発明の概要】
【発明が解決しようとする課題】
【０００４】
しかし、特許文献１及び２に記載の電子機器では、表示部の表示画面を縦長に使用している状態及び横長に使用している状態のいずれの場合であっても、文字種の異なる文字を上下に２分割して入力して表示部の表示画面に表示することが多い。そのため、表示部の表示画面を横長に使用している状態では、ユーザが文字種の異なる文字の両方を視る際に、ユーザの視点移動距離が長くなり、操作性を損なう可能性があった。
【０００５】
本発明は、表示部の表示画面を横長に使用している状態であってもユーザの視点移動距離を短縮することが可能な携帯電子機器及び文字入力方法を提供することを目的とする。
【課題を解決するための手段】
【０００６】
本発明に係る携帯電子機器は、上記課題を解決するために、略長方形の表示画面を有する表示部と、少なくとも第１及び第２の文字種の文字が割り当てられた複数の操作キーを有する操作部と、前記複数の操作キーのうち一の操作キーが操作されると、前記一の操作キーに割り当てられた前記第１及び第２の文字種の文字を前記表示画面に表示させる制御部と、を備え、前記制御部は、前記表示画面を横長に使用している状態で、前記第１の文字種の文字を前記表示画面の上側に左寄せで表示させ、かつ前記第２の文字種の文字を前記表示画面の下側に右寄せで表示させ、所定の操作が前記操作部により行われた場合に、前記表示画面において前記第１及び第２の文字種の文字のいずれか一方の表示位置を維持したまま表示を継続し、前記第１及び第２の文字種の文字の他方の表示を消去する。
【０００７】
また、前記制御部は、前記所定の操作として、前記第２の文字種の文字の表示を採用する操作が行われた場合に、前記表示画面において前記第２の文字種の文字の表示位置を維持したまま、前記第１の文字種の文字の表示を消去すると共に、前記第２の文字種の文字に関連する表示を右寄せで表示させることが好ましい。
【０００８】
また、前記制御部は、前記所定の操作として、前記第１の文字種の文字の表示を採用する操作が前記操作部により行われた場合に、前記表示画面において前記第１の文字種の文字の表示位置を維持したまま、前記第２の文字種の文字の表示を消去して、前記表示画面全体に前記第１の文字種の文字に関連する表示を行わせることが好ましい。
【０００９】
また、前記制御部は、前記第１の文字種の文字を表示させる操作が前記操作部により行われた場合に、前記表示画面において前記第１の文字種の文字の表示位置を維持したまま、前記第２の文字種の文字の表示を消去して、前記表示画面全体に前記第１の文字種の文字に関連する表示を行わせることが好ましい。
【００１０】
また、前記制御部は、前記表示画面を左右に分割し、前記第１の文字種の文字を分割した左側の前記表示画面の上側に左寄せで表示させ、前記第２の文字種の文字を分割した右側の前記表示画面の下側に右寄せで表示させることが好ましい。
【００１１】
また、前記制御部は、前記表示画面を上下に分割し、前記第１の文字種の文字を分割した上側の前記表示画面の上側に左寄せで表示させ、前記第２の文字種の文字を分割した下側の前記表示画面の下側に右寄せで表示させることが好ましい。
【００１２】
また、前記操作部は、発呼を行うための発呼キーを有し、前記制御部は、前記所定の操作として前記発呼キーが操作された場合に、前記表示画面において前記第２の文字種の文字の表示位置を維持したまま、前記第１の文字種の文字の表示を消去することが好ましい。
【００１３】
また、前記制御部は、前記表示画面において前記第１及び第２の文字種の文字の一方の表示位置を維持したまま、前記第１及び第２の文字種の文字の他方の表示を消去した後に、前記第１及び第２の文字種の文字のうちの表示が継続された側の文字の一部を削除する操作が前記操作部により行われた場合に、前記第１及び第２の文字種の文字の両方を前記表示画面に表示させた状態に復帰させることが好ましい。
【００１４】
本発明に係る文字入力方法は、上記課題を解決するために、略長方形の表示画面を有する表示部と操作部とを有する携帯電子機器における文字入力方法であって、前記操作部の複数の操作キーのうち一の操作キーが操作されると、前記一の操作キーに割り当てられた第１及び第２の文字種の文字を表示部の表示画面に表示させるステップと、前記表示画面を横長に使用し、前記第１及び第２の文字種の文字の両方を前記表示画面に表示させている状態で、前記第１の文字種の文字を前記表示画面の上側に左寄せで表示させ、かつ前記第２の文字種の文字を前記表示画面の下側に右寄せで表示させるステップと、所定の操作が操作部により行われた場合に、前記表示画面において前記第１及び第２の文字種の文字の一方の表示位置を維持したまま表示を継続し、前記第１及び第２の文字種の文字の他方の表示を消去するステップと、を備える。
【発明の効果】
【００１５】
本発明によれば、表示部の表示画面を横長に使用している状態であってもユーザの視点移動距離を短縮することが可能な携帯電子機器及び文字入力方法を提供することができる。
【図面の簡単な説明】
【００１６】
【図１】携帯電話機１の開状態における正面図である。
【図２】携帯電話機１の開状態における側面図である。
【図３】携帯電話機１の交差状態における正面図である。
【図４】本実施形態に係る携帯電話機の機能を示す機能ブロック図である。
【図５】本実施形態に係るキーアサインについて説明するための図である。
【図６】本実施形態に係る表示部の表示画面に表示される画面遷移例を示す図（１）である。
【図７】本実施形態に係る表示部の表示画面に表示される画面遷移例を示す図（２）である。
【図８】本実施形態に係る制御部の内部処理について示すフローチャートである。
【図９】本実施形態に係るタブレットデバイスに表示される画面遷移例を示す図（１）である。
【図１０】本実施形態に係るタブレットデバイスに表示される画面遷移例を示す図（２）である。
【図１１】本実施形態に係るタブレットデバイスに表示される画面遷移例を示す図（３）である。
【図１２】本実施形態に係るタブレットデバイスに表示される画面遷移例を示す図（４）である。
【図１３】本実施形態に係るタブレットデバイスに表示される画面遷移例を示す図（５）である。
【図１４】本実施形態に係るタブレットデバイスに表示される画面遷移例を示す図（６）である。
【発明を実施するための形態】
【００１７】
以下、図面を参照して本発明を実施するための最良の形態を説明する。図１から図３を参照して携帯電子機器としての携帯電話機１における基本構造を説明する。図１は、携帯電話機１の開状態における正面図である。図２は、携帯電話機１の開状態における側面図である。図３は、携帯電話機１の交差状態における正面図である。
【００１８】
図１から図３に示すように、本実施形態の携帯電話機１は、操作部側筐体２と、表示部側筐体３と、を備える。
【００１９】
操作部側筐体２は、その外面がフロントケース２ａとリアケース２ｂとにより構成される。操作部側筐体２は、フロントケース２ａ側に、操作部１１と、携帯電話機１の使用者が通話時に発した音声が入力されるマイク１２とが、それぞれ露出するように構成される。
【００２０】
操作部１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作部１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２１】
表示部側筐体３は、その外面がフロントケース３ａとリアケース３ｂとにより構成される。表示部側筐体３におけるフロントケース３ａには、各種情報を表示するための表示部２１と、通話の相手側の音声を出力するレシーバ２２とが、それぞれ露出して配置される。ここで、表示部２１は、液晶パネル、この液晶パネルを駆動する駆動回路、この液晶パネルの背面側から光を照射するバックライト等の光源部等から構成される。
【００２２】
操作部側筐体２と表示部側筐体３とは、連結部４を介して開閉可能に連結される。具体的には、連結部４は、ヒンジ機構４ａと、支持部４ｂと、回転機構４ｃと、を備える。
【００２３】
図２に示すように、操作部側筐体２における連結部４側の端部と支持部４ｂとは、ヒンジ機構４ａを介して連結される。表示部側筐体３とヒンジ機構４ａとは、支持部４ｂを介して接続される。支持部４ｂと表示部側筐体３とは、回転機構４ｃを介して接続される。これにより、携帯電話機１は、操作部側筐体２と表示部側筐体３とヒンジ機構４ａ、支持部４ｂ及び回転機構４ｃを介して連結し、操作部側筐体２と表示部側筐体３とを相対的に動かし、また、表示部側筐体３と支持部４ｂとを相対的に動かすことが可能に構成される。
【００２４】
つまり、携帯電話機１は、操作部側筐体２の長手方向と表示部側筐体３の長手方向とが略一致し、操作部側筐体２と表示部側筐体３とが開いた状態（開状態）と、操作部側筐体２と表示部側筐体３とが折り畳まれた状態（閉状態）と、開状態において、表示部側筐体３を支持部４ｂに対して回転軸Ｚを中心に回転させ、表示部側筐体３の長手方向と表示部側筐体３の長手方向とが所定の角度（例えば、略９０°）で交差する状態（交差状態）にすることができる。
【００２５】
ここで、閉状態とは、操作部側筐体２と表示部側筐体３とが対向し、互いに重なるように配置された状態である。開状態とは、操作部側筐体２と表示部側筐体３とが互いに重ならないように配置された状態である。交差状態とは、開状態から、支持部４ｂに対する表示部側筐体３の相対位置が変動する状態である。このように、連結部４は、開状態又は交差状態と、閉状態との間を移動可能に操作部側筐体２と表示部側筐体３とを連結する。
【００２６】
また、開状態、閉状態及び交差状態の検出は、例えば、ホール素子及び磁性部（いずれも図示せず）を用いて行うことができる。具体的には、ホール素子と磁性部とは、開状態及び交差状態において互いに離間すると共に、閉状態においてホール素子と磁性部とが筐体の厚さ方向において重なるように配置される。このとき、開状態、閉状態及び交差状態では、ホール素子と磁性部との距離がそれぞれ異なるため、磁性部からホール素子へ放射される磁力線の強さも異なる。このように、ホール素子は、磁性部から放射される磁力線の強さ（磁力の大きさ）により、携帯電話機１における開状態、閉状態及び交差状態を検出する。
【００２７】
また、図２に示すように、操作部側筐体２の側面には、サイドキー２ｃが形成されている。サイドキー２ｃの機能については、後述する。
【００２８】
図４は、携帯電話機１の機能を示す機能ブロック図である。携帯電話機１は、例えば、図４に示すように、操作部１１と、マイク１２と、メインアンテナ４０と、ＲＦ回路部４１と、表示制御部４２と、音声処理部４３と、メモリ４４と、制御部４５と、が操作部側筐体２に備えられる。携帯電話機１は、表示部２１と、レシーバ２２と、ドライバＩＣ２３と、が表示部側筐体３に備えられている。
【００２９】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であってもよい。また、メインアンテナ４０は、第１の使用周波数帯で外部装置と通信を行い、ＧＰＳ通信のための第２の使用周波数帯に対応できるアンテナを別途設けてもよい。
【００３０】
ＲＦ回路部４１は、メインアンテナ４０によって受信した信号を復調処理し、処理後の信号を制御部４５に供給する。そして、ＲＦ回路部４１は、制御部４５から供給された信号を変調処理し、メインアンテナ４０を介して外部装置（基地局）に送信する。また、その一方で、ＲＦ回路部４１は、メインアンテナ４０によって受信している信号の強度を制御部４５へ通知を行う。
【００３１】
表示制御部４２は、制御部４５の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００３２】
音声処理部４３は、制御部４５の制御にしたがって、ＲＦ回路部４１から供給された信号に対して所定の音声処理を行い、処理後の信号をレシーバ２２又はスピーカ（図示せず）に出力する。レシーバ２２又はスピーカは、音声処理部４３から供給された信号を外部に出力する。
【００３３】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３４】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００３５】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３６】
具体的には、操作部１１は、いずれかのキーが押下されたときに、当該キーの位置情報（例えば、図５（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図５（ｂ）〜図５（ｄ）に示すように、複数のキーアサインテーブルが格納されている。なお、図５（ｂ）は、電話発信を行う際に利用されるテーブルであり、図５（ｃ）は、メモ帳アプリケーションやメールアプリケーションにおいて利用されるテーブルであり、図５（ｄ）は、テレビアプリケーションにおいてチャンネルを変更する際に利用されるテーブルである。
【００３７】
なお、記号の処理の実行とは、例えば、現在アクティブになっているアプリケーションがメモ帳の場合には、「１」や「あ」を表示部２１に表示することを意味している。また、機能の処理の実行とは、例えば、現在アクティブになっているアプリケーションがテレビの場合に、表示チャンネルを１ｃｈに設定することを意味している。
【００３８】
また、メモリ４４には、複数のキーアサインテーブルが格納されている。制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３９】
このように構成される携帯電話機１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にするアプリケーションＹを有している。また、アプリケーションＹは、通信の待ち受け状態において、キー操作が行われた場合に、当該キーに割り当てられている複数の記号のうち、一の記号（例えば、文字）を表示してもよい。
【００４０】
また、携帯電話機１において、アプリケーションＹは、操作部１１により入力された文字の変換候補あるいは、次に続く予測候補を表示させると機能を有する。さらに、アプリケーションＹは、これらの変換候補あるいは予測候補が選択されることにより、アプリケーション名又はアプリケーションに関する処理内容を示す文字列が入力された場合には、このアプリケーションを実行する機能を有している。
【００４１】
次に、図６及び図７を参照しながら本実施形態に係る制御部４５による処理について説明する。図６及び図７は、本実施形態に係る表示部２１の表示画面に表示される画面遷移例を示す図である。
【００４２】
本実施形態に係る制御部４５は、表示部２１の表示画面を横長に使用している状態で、操作部１１の複数の操作キーのうち一の操作キーが操作されると、第１の文字種の文字を表示画面の上側に左寄せで表示させ、かつ第２の文字種の文字を表示画面の下側に右寄せで表示させる。そして、制御部４５は、所定の操作が操作部１１により行われた場合に、当該操作の内容に応じて表示画面において第１及び第２の文字種の文字のいずれか一方の表示位置を維持したまま表示を維持し、第１及び第２の文字種の文字の他方の表示を消去する。
【００４３】
具体的には、図６（ａ）に示すように、制御部４５は、表示部２１の表示画面を横長に使用している状態で、操作部１１の複数の操作キーが操作されると、アプリケーションＹにより、表示画面を上下に分割して、上側の領域Ａ１に、操作された操作キーに割り当てられた平仮名文字（この例では、「わたな」）を表示させ、下側の領域Ｂ１に、操作された操作キーに割り当てられた（この例では、数字「０４５」）を表示させる。
【００４４】
また、制御部４５は、表示画面の領域Ａ１に表示される平仮名文字の変換候補を表示させるための領域Ａ２をアプリケーションＹにより表示させる。また、制御部４５は、表示画面の領域Ｂ１に表示される数字を用いた機能に関連する複数のキーＳ１及びＳ２をアプリケーションＹにより表示させる。ここで、キーＳ１は、電話アプリケーションにより領域Ｂ１に表示される数字を用いて発呼を行うためのキーであり、キーＳ２は、電話帳アプリケーションにより領域Ｂ１に表示される数字を電話帳に登録するためのキーである。
【００４５】
また、制御部４５は、表示画面の領域Ａ１に表示される文字の文字種を変更するためのソフトキーＳ３、表示画面の領域Ａ１に表示される文字に対して各種操作を確定するためのソフトキーＳ４及び表示画面の領域Ａ１に表示される文字に対して各種機能を表示するためのソフトキーＳ５を、アプリケーションＹにより表示画面の領域Ｂ１に表示させる。また、キー１３ａ、１５ａ及び１３ｂはそれぞれ、ソフトキーＳ３、Ｓ４及びＳ５に対応しており、各ソフトキーの表示に対応した機能が押下時に実行される。
【００４６】
ソフトキーＳ３、Ｓ４及びＳ５それぞれは、操作部１１の操作キーと関連付けられている。例えば、ソフトキーＳ３及びＳ５は、操作部１１の機能設定操作キー１３のうち、１３ａ、１３ｂと関連付けられており、ソフトキーＳ４は、操作部１１の決定操作キー１５ａと関連付けられている。そして、機能設定操作キー１３ａ、１３ｂ又は決定操作キー１５ａが押下されると、ソフトキーＳ３及びＳ５それぞれの表示に対応する機能を実行する。また、決定操作キー１５ａが押下されると、直前に行われた操作を確定する。
なお、キーＳ１は、例えば、図５の（Ｘ１、Ｙ１）に示すキーであり、キーＳ２は、例えば、図１及び３の機能設定操作キー１３のうちの１つ（例えば、４つの機能設定操作キー１３のうちの右下に位置するキー）である。また、ソフトキーとは、随時変化する機能を、各状況に応じて割り当て、ボタンを模した領域に表示させるものである。
【００４７】
図６（ａ）において、制御部４５は、平仮名文字を表示させるためにソフトキーＳ４を選択する操作が決定操作キー１５により行われた場合に、領域Ａ１の平仮名文字「わたな」の文字の表示位置を維持したまま、領域Ｂ１の数字「０４５」の表示を消去して、表示画面全体（図６（ｂ）の領域Ｃ１）に平仮名文字に関連する表示、すなわち、平仮名文字「わたな」、平仮名文字の変換候補、ソフトキーＳ３、Ｓ４及びＳ５の表示を行わせる（図６（ｂ）参照）。
【００４８】
一方、図６（ａ）において、制御部４５は、発呼を行うためにキーＳ２を選択する操作が決定操作キー１５により行われた場合に、平仮名文字の表示を消去すると共に、数字に関連する表示、すなわち、数字「０４５」の表示を表示画面に右寄せで表示させる（図６（ｃ）参照）。
【００４９】
より詳細には、図６（ｃ）に示すように、制御部４５は、発呼を行うためにキーＳ２を選択する操作が決定操作キー１５により行われた場合に、表示画面において数字「０４５」の表示位置（右寄せ）を維持したまま、平仮名文字が表示されている表示領域（図６（ｃ）の領域Ｄ１）全体に単一色の表示（例えば、ブラックアウト、グレーアウト等）を行わせる。
【００５０】
また、制御部４５は、表示画面の領域Ｅ１の下側（領域Ｆ１）にソフトキーＳ６及びＳ７を表示させる。ここで、ソフトキーＳ６は、直前の画面に戻るために用いられ、ソフトキーＳ７は、表示画面の領域Ｅ１に表示される文字に対して各種操作を確定するために用いられる。ソフトキーＳ６及びＳ７それぞれは、操作部１１の操作キーと関連付けられている。例えば、ソフトキーＳ６は、操作部１１の機能設定操作キー１３と関連付けられており、ソフトキーＳ７は、操作部１１の決定操作キー１５と関連付けられている。そして、機能設定操作キー１３が押下されると、直前の画面に戻る。また、決定操作キー１５が押下されると、直前に行われた操作を確定する。
【００５１】
図６では、表示画面を上下に分割する例について説明したが、図７に示すように、表示画面を左右に分割してもよい。
すなわち、図７（ａ）に示すように、制御部４５は、表示部２１の表示画面を横長に使用している状態で、操作部１１の複数の操作キーが操作されると、アプリケーションＹにより、表示画面を左右に分割して、左側の領域Ｈ１に操作キーに割り当てられた平仮名文字「わたな」を左寄せで表示させ、右側の領域Ｊ１に操作キーに割り当てられた数字「０４５」を右寄せで表示させる。
【００５２】
また、制御部４５は、表示画面の領域Ｈ１に表示される文字の文字種を変更するためのソフトキーＳ３、表示画面の領域Ｈ１に表示される文字に対して各種操作を確定するためのソフトキーＳ４及び表示画面の領域Ｈ１に表示される文字に対して各種機能を表示するためのソフトキーＳ５を、アプリケーションＹにより表示画面の領域Ｈ１に表示させる。
【００５３】
また、制御部４５は、表示画面の領域Ｂ１に表示される数字を用いた機能に関連する複数のキーＳ１及びＳ２をアプリケーションＹにより表示させる。ここで、キーＳ１は、電話アプリケーションにより領域Ｊ１に表示される数字を用いて発呼を行うためのキーであり、キーＳ２は、電話帳アプリケーションにより領域Ｊ１に表示される数字を電話帳に登録するためのキーである。
【００５４】
図７（ａ）において、制御部４５は、平仮名文字を表示させるためにソフトキーＳ４を選択する操作が決定操作キー１５により行われた場合に、領域Ｈ１の平仮名文字「わたな」の文字の表示位置を維持したまま、領域Ｊ１の数字「０４５」の表示を消去して、表示画面全体（図７（ｂ）の領域Ｋ１）に平仮名文字に関連する表示、すなわち、平仮名文字「わたな」、平仮名文字の変換候補、ソフトキーＳ３、Ｓ４及びＳ５の表示を行わせる（図７（ｂ）参照）。
【００５５】
一方、図７（ａ）において、制御部４５は、発呼を行うためにキーＳ２を選択する操作が決定操作キー１５により行われた場合に、平仮名文字の表示を消去すると共に、数字に関連する表示、すなわち、数字「０４５」の表示を表示画面に右寄せで表示させる（図７（ｃ）参照）。
【００５６】
より詳細には、図７（ｃ）に示すように、制御部４５は、発呼を行うためにキーＳ２を選択する操作が決定操作キー１５により行われた場合に、表示画面において数字「０４５」の表示位置を維持したまま、平仮名文字が表示されている表示領域（図７（ｃ）の領域Ｍ１）全体に単一色の表示（例えば、ブラックアウト、グレーアウト等）を行わせる。また、制御部４５は、表示画面の領域Ｎ１の下側（領域Ｐ１）にソフトキーＳ６及びＳ７を表示させる。
【００５７】
また、制御部４５は、図６（ｂ）及び（ｃ）、又は図７（ｂ）及び（ｃ）の表示画面において平仮名文字又は数字の一方の表示位置を維持したまま、平仮名文字又は数字の他方の表示を消去した後に、平仮名文字又は数字の一方の文字の一部を削除する操作が操作部１１により行われた場合に、平仮名文字及び数字の一方の文字一部を削除すると共に、削除されていない平仮名文字及び数字の両方を表示画面に表示させてもよい。
【００５８】
具体的には、制御部４５は、図６（ｂ）又は図６（ｃ）において平仮名文字「わたな」のうち「な」の文字、又は数字「５」を削除する操作が操作部１１により行われた場合に、平仮名文字「な」及び数字「５」を削除すると共に、表示画面を上下に分割して、平仮名文字「わた」を表示画面の上側に左寄せで表示させ、数字「０４」を表示画面の下側に右寄せで表示させる。
【００５９】
又は、制御部４５は、図７（ｂ）又は図７（ｃ）において平仮名文字「わたな」のうち「な」の文字、又は数字「５」を削除する操作が操作部１１により行われた場合に、平仮名文字「な」及び数字「５」を削除すると共に、表示画面を左右に分割して、平仮名文字「わた」を表示画面の左側に左寄せで表示させ、数字「０４」を表示画面の右側に右寄せで表示させる。
【００６０】
図８は、本実施形態に係る制御部４５の内部処理について示すフローチャートである。
ステップＳ１において、制御部４５は、待ち受け画面において、操作部１１の複数の操作キーのうち一の操作キーが操作されたことを検出する。なお、待ち受け画面とは、壁紙ともいい、発着信及びアプリケーションの起動を待ち受ける画面である。
ステップＳ２において、制御部４５は、上述したアプリケーションＹを起動する。
【００６１】
ステップＳ３において、制御部４５は、携帯電話機１が開状態であるか交差状態であるか、すなわち、表示部２１の表示画面が縦長で使用される状態であるか横長で使用される状態であるかを判定する。横長で使用される状態である場合（ＹＥＳ）には、ステップＳ４へ進む。縦長で使用される状態である場合（ＮＯ）には、処理を終了する。
【００６２】
ステップＳ４において、制御部４５は、表示画面を上下に分割するように設定されているかを判定する。表示画面を上下に分割するように設定されている場合（ＹＥＳ）には、ステップＳ５へ進む。表示画面を左右に分割するように設定されている場合（ＮＯ）には、ステップＳ１１へ進む。
【００６３】
ステップＳ５において、制御部４５は、アプリケーションＹにより、表示画面を上下に分割して、上側の領域Ａ１に操作キーに割り当てられた平仮名文字を表示させ、下側の領域Ｂ１に操作キーに割り当てられた数字を表示させる（図６（ａ）参照）。
【００６４】
ステップＳ６において、制御部４５は、平仮名文字又は数字の表示を選択するための操作が行われたかを判定する。平仮名文字の表示を選択するための操作が行われた場合（ＹＥＳ）には、ステップＳ７へ進む。数字を表示させるための操作が行われた場合（ＮＯ）には、ステップＳ８へ進む。
【００６５】
ステップＳ７において、制御部４５は、領域Ａ１の平仮名文字の表示位置（左寄せ）を維持したまま、領域Ｂ１の数字の表示を消去して、表示画面全体（図６（ｂ）の領域Ｃ１）に平仮名文字に関連する表示を行わせる（図６（ｂ）参照）。
【００６６】
ステップＳ８において、制御部４５は、表示画面において数字の表示位置（右寄せ）を維持したまま、平仮名文字が表示されている表示領域（図６（ｃ）の領域Ｅ１）全体に単一色の表示（例えば、ブラックアウト、グレーアウト等）を行わせる（図６（ｃ）参照）。
【００６７】
ステップＳ９において、制御部４５は、平仮名文字又は数字の一方の文字の一部を削除する操作が操作部１１により行われたか否かを判定する。削除する操作が行われた場合（ＹＥＳ）には、ステップＳ１０へ進む。削除する操作が行われなかった場合（ＮＯ）には、再度ステップＳ９の処理を繰り返す。
【００６８】
ステップＳ１０において、制御部４５は、平仮名文字及び数字のいずれか一方のみの表示とした直後に、入力をキャンセルする操作（文字の一部を削除する操作やソフトキー操作のキャンセル等）が生じると、表示画面を上下に分割して、平仮名文字及び数字の両方を表示させた状態に復帰させる。このとき、復帰のきっかけが削除操作であったならば、平仮名文字及び数字の両方について、末尾の一文字を削除した状態で表示させた状態にしてもよい。
【００６９】
ステップＳ１１において、制御部４５は、アプリケーションＹにより、表示画面を左右に分割して、左側の領域Ｈ１に操作キーに割り当てられた平仮名文字を表示させ、右側の領域Ｊ１に操作キーに割り当てられた数字を表示させる（図７（ａ）参照）。
【００７０】
ステップＳ１２において、制御部４５は、平仮名文字又は数字の表示を選択するための操作が行われたかを判定する。平仮名文字の表示を選択するための操作が行われた場合（ＹＥＳ）には、ステップＳ１３へ進む。数字を表示させるための操作が行われた場合（ＮＯ）には、ステップＳ１４へ進む。
【００７１】
ステップＳ１３において、制御部４５は、領域Ｈ１の平仮名文字の表示位置（左寄せ）を維持したまま、領域Ｊ１の数字の表示を消去して、表示画面全体（図７（ｂ）の領域Ｋ１）に平仮名文字に関連する表示を行わせる（図７（ｂ）参照）。
【００７２】
ステップＳ１４において、制御部４５は、表示画面において数字の表示位置（右寄せ）を維持したまま、平仮名文字が表示されている表示領域（図７（ｃ）の領域Ｍ１）全体に単一色の表示（例えば、ブラックアウト、グレーアウト等）を行わせる（図７（ｃ）参照）。
【００７３】
ステップＳ１５において、制御部４５は、平仮名文字又は数字の一方の文字の一部を削除する操作が操作部１１により行われたか否かを判定する。削除する操作が行われた場合（ＹＥＳ）には、ステップＳ１６へ進む。削除する操作が行われなかった場合（ＮＯ）には、再度ステップＳ１５の処理を繰り返す。
【００７４】
ステップＳ１６において、制御部４５は、平仮名文字及び数字のいずれか一方のみの表示とした直後に、入力をキャンセルする操作（文字の一部を削除する操作やソフトキー操作のキャンセル等）が生じると、表示画面を左右に分割して、平仮名文字及び数字の両方を表示させた状態に復帰させる。このとき、復帰のきっかけが削除操作であったならば、平仮名文字及び数字の両方について、末尾の一文字を削除した状態で表示させた状態にしてもよい。
【００７５】
以上説明したように、本実施形態によれば、制御部４５は、表示部２１の表示画面を横長に使用している状態で、第１の文字種の文字を表示画面の上側に左寄せで表示させ、かつ第２の文字種の文字を前記表示画面の下側に右寄せで表示させる。そして、制御部４５は、所定の操作が操作部１１により行われた場合に、当該操作の内容に応じて表示画面において第１及び第２の文字種の文字のいずれか一方の表示位置を維持したまま表示を維持し、第１及び第２の文字種の文字の他方の表示を消去する。これにより、携帯電話機１は、第１及び第２の文字種の文字のいずれか一方を表示するため、ユーザは第１及び第２の文字種の文字の一方の文字のみを視認することとなる。したがって、携帯電話機１は、ユーザの視点移動距離を短縮することができる。
【００７６】
また、制御部４５は、所定の操作として、第２の文字種の文字の表示を採用する操作が操作部１１により行われた場合に、表示画面において第２の文字種の文字の表示位置を維持したまま、第１の文字種の文字の表示を消去すると共に、第２の文字種の文字に関連する表示を右寄せで表示させる。これにより、携帯電話機１は、第２の文字種の文字及び第２の文字種の文字に関連する表示を右寄せで表示するため、ユーザの視点移動距離を短縮することができる。
【００７７】
また、制御部４５は、第２の文字種の文字を表示させる操作が操作部１１により行われた場合に、表示画面において第２の文字種の文字の表示位置を維持したまま、第１の文字種の文字が表示されている表示領域全体に単一色の表示を行わせる。これにより、携帯電話機１は、ユーザに対して第１の文字種の文字が表示されないことを明確に示すことができる。
【００７８】
また、制御部４５は、表示画面を左右に分割し、第１の文字種の文字を分割した左側の表示画面の上側に左寄せで表示させ、第２の文字種の文字を分割した右側の表示画面の下側に右寄せで表示させる。又は、制御部４５は、表示画面を上下に分割し、第１の文字種の文字を分割した上側の表示画面の上側に左寄せで表示させ、第２の文字種の文字を分割した下側の表示画面の下側に右寄せで表示させる。これにより、携帯電話機１は、第１及び第２の文字種の文字の両方を好適に表示することができる。
【００７９】
また、制御部４５は、所定の操作として発呼を行うためのキーが操作された場合に、表示画面において第２の文字種の文字の表示位置を維持したまま、第１の文字種の文字の表示を消去する。これにより、携帯電話機１は、発呼処理を好適に行うことができる。
【００８０】
また、制御部４５は、第１及び第２の文字種の文字の一方の文字のうちの表示が継続された側を削除する操作が操作部１１により行われた場合に、第１及び第２の文字種の文字の両方を表示画面に表示させた状態に復帰させる。これにより、携帯電話機１は、第１及び第２の文字種の文字の一方の文字の一部を削除した場合、第１及び第２の文字種の文字の両方を再度表示させた状態に復帰させるため、ユーザが第１及び第２の文字種の文字を再度入力する必要がなく、携帯電話機１の操作性が向上する。
【００８１】
以上、本発明の実施形態について説明したが、本発明は上述した実施形態に制限されるものではなく、適宜変更が可能である。例えば、上述した実施形態では、物理的な複数の操作キーを有する携帯電話機１について説明したが、本発明はこれに制限されず、例えば、表示部２１にタッチパネルを適用した仮想的なキーを有する携帯電話機であってもよい。
【００８２】
なお、上記実施の形態においては、操作部側筐体２と表示部側筐体３とが連結され、開状態において支持部４ｂに対する表示部側筐体３の相対位置の変動を、ホール素子及び磁性部などを用いて検出することで、表示画面を縦長に使用している状態か表示画面を横長に使用している状態かを判別する例を示したが、これに限定されるものではない。
例えば、単一の連結されない筐体であって、タッチパネルを備えたストレート型端末の場合には、別途加速度センサ等を筐体内に搭載し、その傾斜状態を検出することによって表示画面を縦長に使用している状態か表示画面を横長に使用している状態かを判別するよう構成してもよい。なお、この場合、操作部は物理的な押圧ストロークを必要とするキースイッチではなく、各操作キーに対する接触を検出する仮想的な操作キーをタッチパネルに表示させ、これを複数の操作キーを有する操作部としてもよい。
【００８３】
また、上述した実施形態において、携帯電子機器としての携帯電話機１について説明したが、他の携帯電子機器にも適用可能である。例えば、本発明の携帯電子機器は、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【００８４】
なお、本発明は、操作部側筐体２と表示部側筐体３とを備えた携帯電話機１以外にも、タブレットデバイス１００において実施することも可能である。図９は、縦長に使用しているときのタブレットデバイス１００の正面図である。
【００８５】
タブレットデバイス１００は、タッチスクリーンディスプレイ２００を備える。
タッチスクリーンディスプレイ２００は、ディスプレイ２００Ａと、タッチスクリーン２００Ｂとを有する。ディスプレイ２００Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、または無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２００Ａは、文字、画像、記号、および図形等を表示する。
【００８６】
タッチスクリーン２００Ｂは、タッチスクリーン２００Ｂに対する指、ペン、またはスタイラスペン等の接触を検出する。タッチスクリーン２００Ｂは、少なくとも、指、ペン、またはスタイラスペン等がタッチスクリーン２００Ｂに接触した位置を検出する。タッチスクリーン２００Ｂの検出方式は、静電容量方式、抵抗膜方式、表面弾性波方式（または超音波方式）、赤外線方式、電磁誘導方式、および荷重検出方式等の任意の方式でよい。
【００８７】
本発明が、タブレットデバイス１００において実施される場合においては、先の実施形態の図６（ａ）で示した本発明は、図９に示されるように実現される。つまり、タッチスクリーンディスプレイ２００の領域Ａ３に、先の実施形態における操作部１１に相当する構成が表示され、当該表示された操作部が利用者によって操作される。
【００８８】
同様に、本発明が、タブレットデバイス１００において実施される場合においては、先の実施形態の図６（ｂ）で示した本発明は、図１０に示されるように実現される。つまり、タッチスクリーンディスプレイ２００の領域Ｘ１に、先の実施形態における操作部１１に相当する構成が表示され、当該表示された操作部が利用者によって操作される。
同様に、本発明が、タブレットデバイス１００において実施される場合においては、先の実施形態の図６（ｃ）で示した本発明は、図１１に示されるように実現される。つまり、タッチスクリーンディスプレイ２００の領域Ｙ１に、先の実施形態における操作部１１に相当する構成が表示され、当該表示された操作部が利用者によって操作される。
【００８９】
同様に、本発明が、タブレットデバイス１００において実施される場合においては、先の実施形態の図７（ａ）で示した本発明は、図１２に示されるように実現される。つまり、タッチスクリーンディスプレイ２００の領域Ｚ１に、先の実施形態における操作部１１に相当する構成が表示され、当該表示された操作部が利用者によって操作される。
同様に、本発明が、タブレットデバイス１００において実施される場合においては、先の実施形態の図７（ｂ）で示した本発明は、図１３に示されるように実現される。つまり、タッチスクリーンディスプレイ２００の領域Ｚ２に、先の実施形態における操作部１１に相当する構成が表示され、当該表示された操作部が利用者によって操作される。
同様に、本発明が、タブレットデバイス１００において実施される場合においては、先の実施形態の図７（ｃ）で示した本発明は、図１４に示されるように実現される。つまり、タッチスクリーンディスプレイ２００の領域Ｚ３に、先の実施形態における操作部１１に相当する構成が表示され、当該表示された操作部が利用者によって操作される。
【符号の説明】
【００９０】
１  携帯電話機（携帯電子機器）
１１  操作部
２１  表示部
４５  制御部
【図１】
0005950693.tif 000002
【図２】
0005950693.tif 000003
【図３】
0005950693.tif 000004
【図４】
0005950693.tif 000005
【図５】
0005950693.tif 000006
【図６】
0005950693.tif 000007
【図７】
0005950693.tif 000008
【図８】
0005950693.tif 000009
【図９】
0005950693.tif 000010
【図１０】
0005950693.tif 000011
【図１１】
0005950693.tif 000012
【図１２】
0005950693.tif 000013
【図１３】
0005950693.tif 000014
【図１４】
0005950693.tif 000015